(57)【要約】  【課題】落下等による衝撃がレンズ鏡筒に加わった場合においても、レンズ鏡筒の破壊や動作不良の発生を防止する。  【解決手段】一群移動枠用カム溝３２ａの像側の面には像面に平行な平面部３２ａ’が形成され、一群ピン３３ａには像面に平行なＤカット部３３ａ’が形成される。通常は、一群ピン３３ａのテーパ面と一群移動枠用カム溝３２ａの前側のテーパ面に押し付けられ、この状態で一群ピン３３ａは、一群移動枠用カム溝３２ａの内部を摺動する。落下等による衝撃が一群移動枠３２に加わると、圧縮バネ３６の付勢力に抗して一群移動枠３２が像側に移動され、一群ピン３３ａのＤカット部３３ａ’と、一群移動枠用カム溝３２ａの平面部３２ａ’とが当接し、互いの面どうしで落下等による衝撃を受ける。これにより、一群ピン３３ａが一群移動枠用カム溝３２ａから脱落することを防止することができる。【選択図】  図２
2010032970.tif 000002
【特許請求の範囲】
【請求項１】
テーパを有する壁により断面が略台形に形成されカム溝が形成されたカム筒と、前記カム溝と係合する略円錐台状のピンが突設されたレンズ保持枠と、を備えたレンズ鏡筒において、
前記カム溝は、前記カム筒の端面と平行な平行カム溝部であって、前記テーパを有する壁のうちの像側の壁に像面に平行な第１の平面部が形成された平行カム溝部を有し、
前記ピンは、前記第１の平面部に係合可能な像面に平行な第２の平面部を有する
ことを特徴とするレンズ鏡筒。
【請求項２】
前記カム溝と前記ピンとを線接触させるように前記レンズ保持枠を対物側に付勢する弾性部材を備えたことを特徴とする請求項１に記載のレンズ鏡筒。
【請求項３】
請求項１又は２に記載のレンズ鏡筒と、
前記レンズ鏡筒を回転駆動することにより前記レンズ保持枠を光軸方向に移動させる駆動手段と、
前記レンズ鏡筒に衝撃が加わったことを検知する衝撃検知手段と、
前記衝撃検知手段により所定の閾値以上の衝撃が検出された場合に、前記カム溝と前記ピンとの位置関係（以下、ズーム位置という）を検出する位置検出手段と、
前記位置検出手段により検出されたズーム位置を記憶する記憶手段と、
前記記憶手段に記憶されたズーム位置で前記レンズ保持枠を停止させないように、前記駆動手段を制御する駆動制御手段と、
を備えたことを特徴とする撮像装置。
【請求項４】
テーパを有する壁により断面が略台形に形成されカム溝が形成されたカム筒と、前記カム溝と係合する略円錐台状のピンが突設されたレンズ保持枠と、で構成されたレンズ鏡筒と、
前記レンズ鏡筒を回転駆動することにより前記レンズ保持枠を光軸方向に移動させる駆動手段と、
前記レンズ鏡筒に衝撃が加わったことを検知する衝撃検知手段と、
前記衝撃検知手段により所定の閾値以上の衝撃が検出された場合に、前記カム溝と前記ピンとの位置関係（以下、ズーム位置という）を検出する位置検出手段と、
前記位置検出手段により検出されたズーム位置を記憶する記憶手段と、
前記記憶手段に記憶されたズーム位置で前記レンズ保持枠を停止させないように、前記駆動手段を制御する駆動制御手段と、
を備えたことを特徴とする撮像装置。
【請求項５】
所望のズーム位置を入力する入力手段を備え、
前記記憶手段は、前記入力手段により入力されたズーム位置を記憶することを特徴とする請求項３又は４に記載の撮像装置。
【請求項６】
被写体像を撮像する撮像手段と、
前記撮像手段により撮像された被写体像を表示する表示手段と、
前記衝撃検知手段により所定の閾値以上の衝撃が検出された場合に、前記入力手段による入力を促す入力設定画面を前記表示手段に表示する第１の表示制御手段と、
を備えたことを特徴とする請求項５に記載の撮像装置。
【請求項７】
被写体像を撮像する撮像手段と、
前記撮像手段により撮像された被写体像を表示する表示手段と、
前記レンズ鏡筒が停止したズーム位置をユーザに伝達するためのズーム情報バーを前記表示手段に表示する第２の表示制御手段と、を備えた撮像装置であって、
前記第２の表示制御手段は、前記レンズ鏡筒が停止したズーム位置をユーザに伝達するためのズーム情報バーを前記表示手段に表示する第２の表示制御手段であって、前記記憶手段にズーム位置が記憶されていない場合には、使用可能なズーム位置として予め複数設定されたズーム位置の数で均等分割されたズーム情報バーを前記表示手段に表示し、前記記憶手段にズーム位置が記憶されている場合には、前記設定されたズーム位置の数から前記記憶手段に記憶されたズーム位置の数を除いた数で均等分割されたズーム情報バーを前記表示手段に表示することを特徴とする請求項３から６のいずれかに記載の撮像装置。
【請求項８】
前記駆動制御手段は、前記ピンが前記平行カム溝部の範囲内の任意の位置で係合する場合がズーム位置として前記記憶手段に記憶された場合には、当該平行カム溝部の範囲内の前記任意の位置以外の位置に前記ピンを停止させるように、前記駆動手段を制御することを特徴とする請求項３から６のいずれかに記載の撮像装置。
【請求項９】
前記ズーム位置を入力するズーム位置入力手段と、
前記撮像手段により撮像された被写体像の一部を切り出し、該切り出された画像を前記被写体像と同一の大きさに拡大して新たな画像を生成する画像生成手段と、
装置全体を統括制御する制御手段と、
を備えた撮像装置であって、
前記駆動制御手段は、前記ズーム位置入力手段により操作入力されたズーム位置が前記記憶手段に記憶されたズーム位置である場合には、前記記憶手段に記録されたズーム位置より広角側のズーム位置に前記レンズ保持枠が位置するように前記駆動手段を制御し、
前記撮像手段は、前記制御手段からの指示に基づいて前記広角側のズーム位置において被写体像を撮像し、
前記画像生成手段は、前記広角側のズーム位置において撮像された被写体像から、前記ズーム位置入力手段により入力されたズーム位置で前記撮像手段により撮像される被写体像の画角と同じ画角の画像を生成する
ことを特徴とする請求項３から７のいずれかに記載の撮像装置。
【発明の詳細な説明】
【技術分野】
【０００１】
本発明はレンズ鏡筒及び撮像装置に係り、特に衝撃に強いレンズ鏡筒及び撮像装置に関する。
【背景技術】
【０００２】
従来の沈動式のカム筒１０１の展開図を図１８に示し、レンズ鏡筒の部分断面図を図１９に示す。このレンズ鏡筒は、カム機構を利用してレンズ装置の移動レンズをレンズ光軸に沿って前後移動させることによりズーミングを行う。
【０００３】
カム機構は、一群移動枠１０２に突設された一群ピン１０２ａが、固定筒に形成された直進溝とカム筒１０１に形成された一群移動枠用カム溝１０１ａとに係合されて構成され、カム筒１０１をモータの駆動力でレンズ光軸を中心に回動させることにより、一群移動枠１０２を一群移動枠用カム溝１０１ａの軌跡に沿ってレンズ光軸方向に前後移動させる。この動作によって、ズーミングが行われる。
【０００４】
ところでカム筒１０１は、通常、樹脂を用いて射出成形により形成され、また、一群移動枠用カム溝１０１ａはカム筒１０１の内周面に形成される。このため、図１８のＦ−Ｆ断面に示すように、一群移動枠用カム溝１０１ａは断面が台形状に形成される。これに伴い、図１９に示すように、一群ピン１０２ａも断面が台形状に形成される。
【０００５】
沈胴／繰り出し方式のレンズ鏡筒においては、図２０（ａ）に示すように、繰り出し時（ワイド位置及びテレ位置）に最も前方に位置する一群移動枠１０２に衝撃がかかる。図２０（ａ）の矢印方向の衝撃が一群移動枠１０２に加わると、図２０（ｂ）に示すように一群ピン１０２ａが一群移動枠用カム溝１０１ａの傾斜面に沿って滑り落ち、図２０（ｃ）に示すように一群ピン１０２ａが一群移動枠用カム溝１０１ａを乗り越えて一群移動枠用カム溝１０１ａから外れる恐れがある。また、一群移動枠用カム溝１０１ａと一群ピン１０２ａは線接触である為、過大な圧力が一群移動枠用カム溝１０１ａに伝わり、結果として図２０（ｄ）に示すように、金属製の一群ピン１０２ａが一群移動枠用カム溝１０１ａを削って一群移動枠用カム溝１０１aに食いついてしまう恐れがある。
【０００６】
ところで、沈胴／繰り出し方式のレンズ鏡筒は、収納状態では各レンズ群の距離を最短とすることで小型化出来るため、コンパクトカメラでは良く用いられる。しかし、小型、薄型化を狙うほど、各鏡筒の肉厚を薄くしなければならない。そのため、レンズ伸長状態でカメラを落下したりすると、一群移動枠用カム溝１０１ａから一群ピン１０２ａが外れてしまい、ズーム動作が不可能になる等の不具合が発生しやすくなるという問題がある。特に、ユーザは、平行カム溝部であるワイド端及びテレ端においてカメラを落下させてしまう傾向が強い。
【０００７】
これに対応するために、特許文献１には、像面側のカム溝の壁面の高さを高くしてよりカム面を延長することにより、カム溝とピンとの係り量を増加させ、カム面やピンの変形を防止するレンズ鏡筒が提案されている。
【０００８】
特許文献２には、カム溝とピンとの係合部に近接してリブを形成することにより、ピンがカム溝から外れることを防止するレンズ鏡筒が提案されている。
【０００９】
特許文献３には、カム溝が形成される部分のカム筒の肉厚を厚くすることで、カム溝とピンとの係り量を増加させ、対衝撃力を増すレンズ鏡筒が提案されている。
【００１０】
特許文献４には、テーパを持つピンと、テーパを持たない（或いはテーパが小さい）ピンとを用いることで、衝撃を受けてもカム溝の内部を摺動するピンがカム溝から外れることがないレンズ鏡筒が提案されている。
【００１１】
特許文献５には、精度が必要ない像面側のカム溝をくの字状に逃がすことにより、レンズ鏡筒に衝撃が加わったときに所定方向にカム筒を回転させ、衝撃による力を分散させてカム溝やピンの破壊を防止するレンズ鏡筒が提案されている。
【特許文献１】特開２００６−２２７２１３号公報
【特許文献２】特開２００６−２２７２１４号公報
【特許文献３】特開２００５−１７４１８号公報
【特許文献４】特開２００６−４７７２３号公報
【特許文献５】特開２００３−３３７２７６号公報
【発明の開示】
【発明が解決しようとする課題】
【００１２】
しかしながら、特許文献１、３に記載の発明においては、カム溝とピンとの係合量を増やすことに伴い、外径が大きくなってしまい、小型化に対応できないという問題がある。
【００１３】
また、特許文献１、３に記載の発明においては、衝撃によりカム面が変形してしまった場合に対応することができないという問題がある。
【００１４】
また、特許文献２に記載の発明においては、衝撃が加わったときにピンがカム溝に形成する打痕の影響を排除できないという問題がある。さらに、特許文献２に記載の技術においては、構造が複雑になるという問題がある。
【００１５】
また、特許文献４に記載の発明においては、２種類、合計６個のピンが必要となるため、部品点数が増加し、コストアップにつながるという問題がある。
【００１６】
また、特許文献５に記載の発明においては、レンズ表面を拭くときにレンズ鏡筒に加わる衝撃によってもレンズ鏡筒が回転してしまい、高級感が損なわれるという問題がある。
【００１７】
本発明はこのような事情に鑑みてなされたもので、落下等による衝撃がレンズ鏡筒に加わった場合においても、レンズ鏡筒の破壊や動作不良の発生を防ぎ、光学性能に影響を与えないレンズ鏡筒及び撮像装置を提供することを目的とする。
【課題を解決するための手段】
【００１８】
請求項１に記載のレンズ鏡筒は、テーパを有する壁により断面が略台形に形成されカム溝が形成されたカム筒と、前記カム溝と係合する略円錐台状のピンが突設されたレンズ保持枠と、を備えたレンズ鏡筒において、前記カム溝は、前記カム筒の端面と平行な平行カム溝部であって、前記テーパを有する壁のうちの像側の壁に像面に平行な第１の平面部が形成された平行カム溝部を有し、前記ピンは、前記第１の平面部に係合可能な像面に平行な第２の平面部を有することを特徴とする。
【００１９】
請求項１に記載のレンズ鏡筒によれば、カム筒の端面と平行な平行カム溝部の像側の壁に形成された像面に平行な平面部と、前記ピンに形成された像面に平行な平面部に係合する平面部が係合する。これにより、衝撃によりピンがカム溝から脱落したり、ピンがカム溝に食いついたり、カム溝がえぐれたりすることを防止することができる。
【００２０】
請求項２に記載の撮像装置は、請求項１に記載のレンズ鏡筒において、前記カム溝と前記ピンとを線接触させるように前記レンズ保持枠を対物側に付勢する弾性部材を備えたことを特徴とする。これにより、通常状態では、平面部が形成されていない対物側の壁を用いてピンを摺動させることが出来る。
【００２１】
請求項３に記載の撮像装置は、請求項１又は２に記載のレンズ鏡筒と、前記レンズ鏡筒を回転駆動することにより前記レンズ保持枠を光軸方向に移動させる駆動手段と、前記レンズ鏡筒に衝撃が加わったことを検知する衝撃検知手段と、前記衝撃検知手段により所定の閾値以上の衝撃が検出された場合に、前記カム溝と前記ピンとの位置関係（以下、ズーム位置という）を検出する位置検出手段と、前記位置検出手段により検出されたズーム位置を記憶する記憶手段と、前記記憶手段に記憶されたズーム位置で前記レンズ保持枠を停止させないように、前記駆動手段を制御する駆動制御手段とを備えたことを特徴とする。
【００２２】
請求項３に記載の撮像装置によれば、レンズ鏡筒に所定の閾値以上の衝撃が検出された場合には、そのときのズーム位置を記憶し、当該ズーム位置でレンズ保持枠を停止させないようにする、すなわち、衝撃により、カム溝がピンによりダメージを受けたであろうズーム位置を使用禁止とする。これにより、ピントが合わない等の光学性能の劣化による失敗写真なくすことができる。
【００２３】
請求項４に記載の撮像装置は、テーパを有する壁により断面が略台形に形成されカム溝が形成されたカム筒と、前記カム溝と係合する略略円錐台状のピンが突設されたレンズ保持枠と、で構成されたレンズ鏡筒と、前記レンズ鏡筒を回転駆動することにより前記レンズ保持枠を光軸方向に移動させる駆動手段と、前記レンズ鏡筒に衝撃が加わったことを検知する衝撃検知手段と、前記衝撃検知手段により所定の閾値以上の衝撃が検出された場合に、前記カム溝と前記ピンとの位置関係（以下、ズーム位置という）を検出する位置検出手段と、前記位置検出手段により検出されたズーム位置を記憶する記憶手段と、前記記憶手段に記憶されたズーム位置で前記レンズ保持枠を停止させないように、前記駆動手段を制御する駆動制御手段と、を備えたことを特徴とする。
【００２４】
請求項４に記載の撮像装置によれば、レンズ鏡筒に所定の閾値以上の衝撃が検出された場合には、そのときのズーム位置を記憶し、当該ズーム位置でレンズ保持枠を停止させないようにする、すなわち、衝撃により、カム溝がピンによりダメージを受けたであろうズーム位置を使用禁止とする。これにより、ピントが合わない等の光学性能の劣化による失敗写真なくすことができる。
【００２５】
請求項５に記載の撮像装置は、請求項３又は４に記載の撮像装置において、所望のズーム位置を入力する入力手段を備え、前記記憶手段は、前記入力手段により入力されたズーム位置を記憶することを特徴とする。
【００２６】
請求項５に記載の撮像装置によれば、ユーザが撮像装置に衝撃を加えてしまった場合などに、ユーザがズーム位置を入力することでそのズーム位置を使用禁止とする。これにより、撮像装置を落下させたときのズーム位置をユーザが覚えておく必要がないため、ユーザにとって便利な撮像装置を提供することができる。
【００２７】
請求項６に記載の撮像装置は、請求項５に記載の撮像装置において、被写体像を撮像する撮像手段と、前記撮像手段により撮像された被写体像を表示する表示手段と、前記衝撃検知手段により所定の閾値以上の衝撃が検出された場合に、前記入力手段による入力を促す入力設定画面を前記表示手段に表示する第１の表示制御手段を備えたことを特徴とする。
【００２８】
請求項６に記載の撮像装置によれば、所定の閾値以上の衝撃が検出された場合には、その時のズーム位置を使用禁止とするための設定画面が自動的に表示される。これにより、所定の閾値以上の衝撃が検出された場合には、使用禁止とするズーム位置を入力するようユーザに促すことができる。
【００２９】
請求項７に記載の撮像装置は、請求項３から６のいずれかに記載の撮像装置において、被写体像を撮像する撮像手段と、前記撮像手段により撮像された被写体像を表示する表示手段と、前記レンズ鏡筒が停止したズーム位置をユーザに伝達するためのズーム情報バーを前記表示手段に表示する第２の表示制御手段と、を備えた撮像装置であって、前記第２の表示制御手段は、前記記憶手段にズーム位置が記憶されていない場合には、使用可能なズーム位置として予め複数設定されたズーム位置の数で均等分割されたズーム情報バーを前記表示手段に表示し、前記記憶手段にズーム位置が記憶されている場合には、前記設定されたズーム位置の数から前記記憶手段に記憶されたズーム位置の数を除いた数で均等分割されたズーム情報バーを前記表示手段に表示することを特徴とする。
【００３０】
請求項７に記載の撮像装置によれば、使用禁止となったズーム位置がない場合には、予め複数設定されたズーム位置の数で均等分割されたズーム情報バーを表示し、使用禁止となったズーム位置がある場合には、複数設定されたズーム位置の数から使用禁止となったズーム位置の数を除いた数で均等分割されたズーム情報バーを表示する。これにより、ズーム情報バーの見栄えを良くすることができる。
【００３１】
請求項８に記載の撮像装置は、請求項３から６のいずれかに記載の撮像装置において、前記駆動制御手段は、前記ピンが前記平行カム溝部の範囲内の任意の位置で係合する場合がズーム位置として前記記憶手段に記憶された場合には、当該平行カム溝部の範囲内の前記任意の位置以外の位置に前記ピンを停止させるように、前記駆動手段を制御することを特徴とする。
【００３２】
請求項８に記載の撮像装置によれば、平行カム溝部の範囲内の任意の位置にピンが位置する場合が使用禁止とされた場合には、同一の平行カム溝部の範囲内の使用禁止とされた位置以外の位置にピンを停止させる。これにより、衝撃によりダメージを受けていない平行カム溝部を用いて撮影を行うため、常に良好な光学性能を保つことができる。また、ピントが合わない等の光学性能の劣化による失敗写真なくすことができる。
【００３３】
請求項９に記載の撮像装置は、請求項３から７のいずれかに記載の撮像装置において、前記ズーム位置を入力するズーム位置入力手段と、前記撮像手段により撮像された被写体像の一部を切り出し、該切り出された画像を前記被写体像と同一の大きさに拡大して新たな画像を生成する画像生成手段と、装置全体を統括制御する制御手段と、を備えた撮像装置であって、前記駆動制御手段は、前記ズーム位置入力手段により操作入力されたズーム位置が前記記憶手段に記憶されたズーム位置である場合には、前記記憶手段に記録されたズーム位置より広角側のズーム位置に前記レンズ保持枠が位置するように前記駆動手段を制御し、前記撮像手段は、前記制御手段からの指示に基づいて前記広角側のズーム位置において被写体像を撮像し、前記画像生成手段は、前記広角側のズーム位置において撮像された被写体像から、前記ズーム位置入力手段により入力されたズーム位置で前記撮像手段により撮像される被写体像の画角と同じ画角の画像を生成することを特徴とする。
【００３４】
請求項８に記載の撮像装置によれば、使用禁止となったズーム位置がある場合には、当該ズーム位置より広角側のズーム位置において撮像された被写体像から、使用禁止となったズーム位置で撮像される被写体像の画角と同じ画角の画像を切り出し、該切り出された画像を被写体像と同一の大きさに拡大して、使用禁止となったズーム位置での被写体像を生成する。これにより、あたかも使用禁止となったズーム位置で撮影しているかのような使用勝手で撮像装置を使用することができる。
【発明の効果】
【００３５】
本発明によれば、落下等による衝撃がレンズ鏡筒に加わった場合においても、レンズ鏡筒の破壊や動作不良の発生を防ぎ、光学性能に影響を与えないレンズ鏡筒及び撮像装置を提供することができる。
【発明を実施するための最良の形態】
【００３６】
以下、添付図面に従って本発明に係る撮像装置を実施するための最良の形態について詳細に説明する。
【００３７】
＜第１の実施の形態＞
図１は、本発明の第１の実施の形態に係るデジタルカメラ１の背面斜視図である。デジタルカメラ１のカメラボディ１２は、略直方体の箱状に形成されており、その正面には、沈動式のレンズ鏡筒１０（後に詳述）が設けられる。カメラボディ１２の背面には、主として、モニタ１４、接眼レンズ１６、操作部２０（ズームボタン２３、十字ボタン２４、ＭＥＮＵ／ＯＫボタン２５、モード切り替えボタン２６、ＢＡＣＫボタン２７、ＤＩＳＰボタン２８等）等が設けられる。カメラボディ１２の上面には、主として操作部２０（電源ボタン２１、レリーズスイッチ２２）が設けられる。カメラボディ１２の側面には、図示しないバッテリーカバーが設けられる。バッテリーカバーの内側には、バッテリーを収納するためのバッテリー収納室、メモリカード１４４を装着するためのメモリカードスロット等が設けられる。カメラボディ１２の底面には、図示しない三脚ネジ穴などが設けられる。
【００３８】
レンズ鏡筒１０は、カメラボディ１２に収納される沈胴位置と、カメラボディ１２から被写体側に突出される繰り出し位置との範囲で移動される沈胴／繰り出し式のズームレンズで構成されており、電源ボタン２１によってデジタルカメラ１の電源をＯＮすることにより、カメラボディ１２から繰り出される。図２は、レンズ鏡筒１０を側面から見た断面図である。
【００３９】
レンズ鏡筒１０は、主として、固定筒３０と、回転筒３１と、カム筒３２と、一群移動枠３３と、直進筒３４と、二群移動枠３５と、圧縮バネ３６と、マウント３７と、撮像素子３８とで構成されている。レンズ鏡筒１０は、マウントを介してカメラボディ１２に取り付けられる。
【００４０】
固定筒３０は、円筒状に形成されており、その後端部には板状に形成されたマウント３７が締結される。マウント３７には、撮像素子３８が設けられる。また、固定筒３０の外側には、回転筒３１が回動自在に設けられる。固定筒３０には、直進筒３４を光軸に沿って直進的にガイドするための溝と、カム筒３２の光軸方向の位置を決定し、かつカム筒３２を光軸に沿って移動させるためのカム孔とが形成される。
【００４１】
カム筒３２は、樹脂製で円筒状に形成されており、固定筒３０の内側に回動自在に設けられ、その内側には固定筒３０に形成された溝と勘合するキーが突設された直進筒３４が設けられる。カム筒３２の外周面には、カムピン３２ｃが光軸の回りの３分割位置に突設される。このカムピンは、固定筒３０に形成されたカム孔と、回転筒３１に形成された直進溝とに係合される。このため、回転筒３１が回転するのに伴い、カム筒３２は回転しながら光軸方向に移動する。それと同時に、直進筒３４が光軸方向に移動する。
【００４２】
また、カム筒３２の内周面には、一群移動枠３３を光軸に沿って移動させるための一群移動枠用カム溝３２ａと、二群移動枠３５を光軸に沿って移動させるための二群移動枠用カム溝３２ｂと（図３参照）が、光軸の回りの３分割位置に形成される。
【００４３】
一群移動枠用カム溝３２ａの展開形状について説明する。図３に示すように、一群移動枠用カム溝３２ａは、沈動位置、ワイド位置及びテレ位置のそれぞれに平行カム部（沈動位置平行カム部、ワイド位置平行カム部及びテレ位置平行カム部）が形成される。
【００４４】
沈動位置平行カム部とワイド位置平行カム部とは、直線的なカム溝により連結される。また、ワイド位置平行カム部とテレ位置平行カム部とは、曲線により所定の形状、すなわち焦点距離を変更するために一群移動枠３３を光軸に沿って移動させる形状のカム溝により連結される。
【００４５】
一群移動枠用カム溝３２ａの断面形状について説明する。ワイド位置平行カム部及びテレ位置平行カム部以外の一群移動枠用カム溝３２ａは、図３のＢ−Ｂ断面に示すように、両側（像側及び前側）にテーパがついた台形状に形成される。それに対し、ワイド位置平行カム部及びテレ位置平行カム部は、図３のＡ−Ａ断面図及び図４（ａ）に示すように、Ｂ−Ｂ断面に示す台形状の溝の像側の壁面に、像面に平行な平面部３２ａ’が形成される。二群移動枠用カム溝３２ｂについても一群移動枠用カム溝３２ａと同様に、両側にテーパがついた台形状に形成される。
【００４６】
一群移動枠３３は、円筒状に形成され、カム筒３２の内側に回動自在に設けられる。一群移動枠３３の内部には、先端のレンズ群が保持される。一群移動枠３３の外周面には、一群移動枠用カム溝３２ａに係合する金属製の一群ピン３３ａが光軸の回りの３分割位置に突設される。一群ピン３３ａは、図４（ｂ）に示すように、先端にテーパ面が形成された略円錐台状であり、そのテーパ面がカム筒３２の内周面に形成された一群移動枠用カム溝３２ａのテーパ面と係合する。このため、カム筒３２が回転するのに伴い、一群移動枠３３が光軸方向に移動する。また、一群ピン３３ａの像側には、像面に平行な平面部（Ｄカット部）３３ａ’が形成される。
【００４７】
二群移動枠３５は、円筒状に形成され、一群移動枠３３及び直進筒３４の内側に回動自在に設けられる。二群移動枠３５の内部には、２群レンズが保持される。二群移動枠３５の外周面には、二群ピン３５ａが光軸の回りの３分割位置に突設される。この二群ピン３５ａは、直進筒３４に形成された直進穴を貫通して、カム筒３２に形成された二群移動枠用カム溝３２ｂに係合される。このため、カム筒３２が回転するのに伴い、光軸方向の位置が変化する。
【００４８】
圧縮バネ３６は、一群移動枠３３と二群移動枠３５との間に設けられる。圧縮バネ３６は、一群移動枠３３をカメラボディ１２側と反対側（前側）に向けて付勢し、二群移動枠３５をカメラボディ１２側（像側）に向けて付勢する。
【００４９】
この結果、一群ピン３３ａは、図５（ａ）に示すように、そのテーパ面が前側の壁、すなわち平面部３２ａ’が形成されていない方の一群移動枠用カム溝３２ａのテーパ面に押し付けられる。一群ピン３３ａは、前側の壁に押し付けられた状態で、一群移動枠用カム溝３２ａの内部を摺動する。この場合には、一群ピン３３ａと一群移動枠用カム溝３２ａとは線で接触しており、摩擦抵抗が少ないため、一群ピン３３ａが一群移動枠用カム溝３２ａの内部をスムーズに摺動することができる。
【００５０】
電源が投入されていないときは、一群ピン３３ａは沈動位置平行カム部に位置している。電源投入後のズーム操作（詳細は後述）により一群ピン３３ａがワイド位置平行カム部及びテレ位置平行カム部に位置している場合において、落下等による衝撃が一群移動枠３３に加わると、図５（ｂ）に示すように、圧縮バネ３６の付勢力に抗して一群移動枠３３が像側に移動され、一群ピン３３ａのＤカット部３３ａ’と、一群移動枠用カム溝３２ａの平面部３２ａ’とが当接する。その結果、互いの面どうしで落下等による衝撃を受ける。これにより、一群ピン３３ａが一群移動枠用カム溝３２ａから脱落することを防止することができる。また、一群移動枠用カム溝３２ａがえぐれる等、一群移動枠用カム溝３２ａにダメージが加わることを防止することができる。
【００５１】
なお、通常は、一群移動枠用カム溝３２ａの前側のテーパ部に一群ピン３３ａが押し当たっている為、仮に一群移動枠用カム溝３２ａの平面部３２ａ’にダメージが与えられたとしても、レンズの光学的性能に影響しない。
【００５２】
図１の説明に戻る。モニタ１４は、４：３の一般的なアスペクト比を有し、カラー表示が可能な液晶ディスプレイで構成されている。このモニタ１４は、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００５３】
電源ボタン２１は、デジタルカメラ１の電源スイッチとして機能し、電源ボタン２１を押下することにより、電源がＯＮ／ＯＦＦされる。
【００５４】
レリーズスイッチ２２は、いわゆる「半押し」と「全押し」とからなる二段ストローク式のスイッチで構成されている。デジタルカメラ１は、静止画撮影時（例えば、モード切り替えボタン２６で静止画撮影モード選択時、又はメニューから静止画撮影モード選択時）、このレリーズスイッチ２２を半押しすると撮影準備処理、すなわち、ＡＥ（Automatic Exposure：自動露出）、ＡＦ（Auto Focus：自動焦点合わせ）、ＡＷＢ（Automatic White Balance：自動ホワイトバランス）の各処理を行い、全押しすると、画像の撮影・記録処理を行う。また、動画撮影時（例えば、モード切り替えボタン２６で動画撮影モード選択時、又はメニューから動画撮影モード選択時）、このレリーズスイッチ２２を全押すると、動画の撮影を開始し、再度全押しすると、撮影を終了する。なお、設定により、レリーズスイッチ２２を全押ししている間、動画の撮影を行い、全押しを解除すると、撮影を終了するようにすることもできる。なお、静止画撮影専用のシャッタボタン及び動画撮影専用のシャッタボタンを設けるようにしてもよい。
【００５５】
ズームボタン２３は、レンズ鏡筒１０のズーム操作に用いられ、望遠側へのズームを指示するズームテレボタン２３ａと、広角側へのズームを指示するズームワイドボタン２３ｂとで構成されている。
【００５６】
十字ボタン２４は、各種のメニューの設定や選択あるいはズームを行うためのボタンであり、上下左右４方向に押圧操作可能に設けられており、各方向のボタンには、カメラの設定状態に応じた機能が割り当てられる。たとえば、撮影時には、左ボタンにマクロ機能のＯＮ／ＯＦＦを切り替える機能が割り当てられ、右ボタンにストロボモードを切り替える機能が割り当てられる。また、上ボタンにモニタ１４の明るさを替える機能が割り当てられ、下ボタンにセルフタイマのＯＮ／ＯＦＦを切り替える機能が割り当てられる。また、再生時には、右ボタンにコマ送りの機能が割り当てられ、左ボタンにコマ戻しの機能が割り当てられる。また、上ボタンにモニタ１４の明るさを替える機能が割り当てられ、下ボタンに再生中の画像を削除する機能が割り当てられる。また、各種設定時には、モニタ１４に表示されたカーソルを各ボタンの方向に移動させる機能が割り当てられる。
【００５７】
ＭＥＮＵ／ＯＫボタン２５は、メニュー画面の呼び出し（ＭＥＮＵ機能）に用いられるとともに、選択内容の確定、処理の実行指示等（ＯＫ機能）に用いられ、デジタルカメラ１の設定状態に応じて割り当てられる機能が切り替えられる。メニュー画面では、たとえば露出値、色合い、ＩＳＯ感度、記録画素数などの画質調整やセルフタイマの設定、測光方式の切り替え、デジタルズームを使用するか否かなど、デジタルカメラ１が持つ全ての調整項目の設定が行われる。デジタルカメラ１は、このメニュー画面で設定された条件に応じて動作する。
【００５８】
モード切り替えボタン２６は、水平方向の軸を中心に上下方向に揺動自在に設けられている。モード切り替えボタン２６は、デジタルカメラ１の再生モードと撮影モードとを切り替える切り替え手段として機能し、「再生位置」と「撮影位置」の間を回転自在に設けられている。デジタルカメラ１は、このモード切り替えボタン２６を「再生位置」に位置させると、再生モードに設定され、「撮影位置」に位置させると、撮影モードに設定される。また、モード切り替えボタン２６は、各種モード（撮影モード、再生モード、消去モード、編集モード等）の切り替え、オート撮影やマニュアル撮影等の撮影モードの設定に用いられる。
【００５９】
ＢＡＣＫボタン２７は入力操作のキャンセル等の指示の入力に用いられ、ＤＩＳＰボタン２８は、モニタ１４の表示内容の切り替え指示等の入力に用いられる。
【００６０】
図６は、本実施の形態のデジタルカメラ１の電気的構成を示すブロック図である。同図に示すように、デジタルカメラ１は、ＣＰＵ１１０、ＡＥ／ＡＷＢ検出部１１２、ＡＦ検出部１１４、フラッシュＲＯＭ１１６、ＲＡＭ１１８、ＶＲＡＭ１２０、駆動部１２２、撮影光学系１２４、撮像素子１２８、タイミングジェネレータ１３０、アナログ信号処理部１３２、Ａ／Ｄコンバータ１３４、画像入力コントローラ１３６、画像信号処理部１３８、圧縮伸張処理部１４０、表示制御部１４２、メディアコントローラ１４６等で構成されている。
【００６１】
ＣＰＵ１１０は、デジタルカメラ１の全体の動作を統括制御する制御手段として機能するとともに、各種の演算処理を行う演算手段として機能し、操作部２０からの入力に基づき所定の制御プログラムに従ってデジタルカメラ１の各部を制御する。
【００６２】
ＡＥ／ＡＷＢ検出部１１２は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。ＣＰＵ１１０は、このＡＥ／ＡＷＢ検出部１１２から得た積算値に基づいて被写体の明るさ（被写体輝度）を検出し、撮影に適した露出値（撮影ＥＶ値）を算出する。そして、算出した撮影ＥＶ値と所定のプログラム線図から絞り値とシャッタ速度を決定する。また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００６３】
ＡＦ検出部１１４は、ＣＰＵ１１０からの指令に従い、入力された画像信号からＡＦ制御に必要な物理量を算出する。本実施の形態のデジタルカメラ１では、撮像素子１２８から得られる画像のコントラストによりＡＦ制御が行われ（いわゆるコントラストＡＦ）、ＡＦ検出部１１４は、入力された画像信号から画像の鮮鋭度を示す焦点評価値を算出する。ＣＰＵ１１０は、このＡＦ検出部１１４で算出される焦点評価値が極大となる位置を検出し、その位置にフォーカスレンズ群を移動させる。すなわち、フォーカスレンズ群を至近から無限遠まで所定のステップで移動させ、各位置で焦点評価値を取得し、得られた焦点評価値が最大の位置を合焦位置として、その位置にフォーカスレンズ群を移動させる。
【００６４】
フラッシュＲＯＭ１１６には、このＣＰＵ１１０が実行する制御プログラムであるファームウェア、制御に必要な各種データ、カメラ設定値、撮影された画像データ等が記録されている。なお、後述するように、撮影された画像データは、通常メモリカードに記録されるが、ユーザが選択した場合、メモリカードが装填されていない場合、メモリカードの容量が不足した場合等にはフラッシュＲＯＭ１１６に記録される。
【００６５】
ＲＡＭ１１８は、ＣＰＵ１１０の作業用領域として利用されるとともに、画像データの一時記憶領域として利用され、ＶＲＡＭ１２０は、表示用の画像データ専用の一時記憶領域として利用される。
【００６６】
撮影光学系１２４は、レンズ鏡筒１０の内部に配設され、ズームレンズ、絞り、シャッタなどで構成される。各構成要素はモータ等のアクチュエータで構成される駆動部１２２に駆動されて動作する。たとえば、フォーカスレンズ群は、フォーカスモータに駆動されて前後方向に移動し、ズームレンズ群は、ズームモータに駆動されて前後方向に移動する。また、絞りは、絞りモータに駆動されて拡縮し、シャッタは、シャッタモータに駆動されて開閉する。
【００６７】
撮像素子１２８は、レンズ鏡筒１０の内部に配設され、たとえば、所定のカラーフィルタ配列のカラーＣＣＤで構成されており、撮影光学系１２４によって結像された被写体の画像を電子的に撮像する。
【００６８】
タイミングジェネレータ（ＴＧ）１３０は、ＣＰＵ１１０からの指令に応じて、この撮像素子１２８を駆動するためのタイミング信号を出力する。
【００６９】
アナログ信号処理部１３２は、撮像素子１２８から出力された画像信号に対して相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）を行い、増幅して出力する。
【００７０】
Ａ／Ｄコンバータ１３４は、アナログ信号処理部１３２から出力されたＲ、Ｇ、Ｂのアナログの画像信号をデジタルの画像信号に変換する。
【００７１】
画像入力コントローラ１３６は、所定容量のラインバッファを内蔵しており、ＣＰＵ１１０からの指令に従い、Ａ／Ｄコンバータ１３４から出力された１画像分の画像信号を蓄積して、ＲＡＭ１１８に記録する。
【００７２】
画像信号処理部１３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００７３】
圧縮伸張処理部１４０は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００７４】
表示制御部１４２は、ＣＰＵ１１０からの指令に従い、モニタ１４への表示を制御する。すなわち、ＣＰＵ１１０からの指令に従い、入力された画像信号をモニタ１４に表示するための映像信号（たとえば、ＮＴＳＣ信号やＰＡＬ信号、ＳＣＡＭ信号）に変換してモニタ１４に出力するとともに、所定の文字、図形情報をモニタ１４に出力する。
【００７５】
メディアコントローラ１４６は、ＣＰＵ１１０からの指令に従い、メモリカードスロットに装填されたメモリカード１４４に対してデータの読み／書きを制御する。
【００７６】
次に、以上のように構成された本実施の形態のデジタルカメラ１の作用について説明する。
【００７７】
電源ボタン２１を押下し、デジタルカメラ１の電源を投入すると、デジタルカメラ１は、撮影モードの下で起動し、それに伴いレンズ鏡筒１０が駆動される。すなわち、カム筒３２が回転駆動されることにより、一群移動枠用カム溝３２ａの沈動位置平行カム部に位置している一群ピン３３ａが、一群移動枠用カム溝３２ａ前側のテーパ面に押し付けられた状態で、沈動位置平行カム部とワイド位置平行カム部とを連結する直線的なカム溝の内部を摺動して、ワイド位置平行カム部で停止することにより、一群移動枠３３が光軸方向に移動される。これにより、レンズ鏡筒１０が所定位置まで繰り出される。また、二群ピン３５ａが二群移動枠用カム溝３２ｂの平行カム部を摺動するが、二群ピン３５ａは平行カム部のみで摺動するため、二群移動枠３５は光軸方向に移動されない。
【００７８】
そして、レンズ鏡筒１０が所定位置まで繰り出されると、撮像素子１２８によってスルー画像用の撮影が行われ、モニタ１４にスルー画像が表示される。すなわち、撮像素子１２８で連続的に画像が撮像され、その画像信号が連続的に処理されて、スルー画像用の画像データが生成される。生成された画像データは、ＶＲＡＭ１２０を介して順次表示制御部１４８に加えられ、表示用の信号形式に変換されて、モニタ１４に出力される。これにより、撮像素子１２８で捉えた画像がモニタ１４にスルー表示される。ユーザは、このモニタ１４に表示されたスルー画像を見て、ズーム操作により構図を決定する。
【００７９】
ユーザがズームボタン２３を操作することによりズーム操作が行われると、ＣＰＵ１１０は、操作に応じて駆動部１２２を制御し、レンズ鏡筒１０が駆動される。すなわち、カム筒３２が回転駆動されることにより、ワイド位置平行カム部で停止していた一群ピン３３ａは、一群移動枠用カム溝３２ａ前側のテーパ面に押し付けられた状態で、ワイド位置平行カム部とテレ位置平行カム部との間を摺動することにより、一群移動枠３３が光軸方向に移動される。それと共に、二群ピン３５ａが二群移動枠用カム溝３２ｂの内部を摺動することにより、二群移動枠３５が光軸方向に移動される。これにより、ズーム操作が行われ、ＣＰＵ１１０は、予め設定された複数個所（例えば５箇所）のズーム位置でレンズ鏡筒１０を停止させる。
【００８０】
構図が決定したら、ユーザは、レリーズスイッチ２２を半押しする。レリーズスイッチ２２が半押しされると、ＣＰＵ１１０にＳ１ＯＮ信号が入力される。ＣＰＵ１１０は、このＳ１ＯＮ信号に応動して、撮影準備処理、すなわち、ＡＥ、ＡＦ、ＡＷＢの各処理を実行する。
【００８１】
まず、撮像素子１２８から出力された画像信号をアナログ信号処理部１３２、Ａ／Ｄコンバータ１３４、画像入力コントローラ１３６を介してＲＡＭ１１８に取り込み、ＡＥ／ＡＷＢ検出部１１２及びＡＦ検出部１１４に加える。
【００８２】
ＡＥ／ＡＷＢ検出部１１２は、入力された画像信号からＡＥ制御及びＡＷＢ制御に必要な物理量を算出し、ＣＰＵ１１０に出力する。ＣＰＵ１１０は、このＡＥ／ＡＷＢ検出部１１２からの出力に基づき、絞り値とシャッタースピードを決定するとともに、ホワイトバランス補正値を決定する。
【００８３】
ＡＦ検出部１１４は、入力された画像信号からＡＦ制御に必要な物理量を算出し、ＣＰＵ１１０に出力する。ＣＰＵ１１０は、このＡＦ検出部１１４からの出力に基づき駆動部１２２の駆動を制御し、フォーカスレンズ等の移動を制御して、レンズ鏡筒１０のピントを主要被写体に合わせる。
【００８４】
ユーザは、モニタ１４に表示されるスルー画像を見てレンズ鏡筒１０のピント状態等を確認し、撮影を実行する。すなわち、レリーズスイッチ２２を全押しする。
【００８５】
レリーズスイッチ２２が全押しされると、ＣＰＵ１１０にＳ２ＯＮ信号が入力される。ＣＰＵ１１０は、このＳ２ＯＮ信号に応動して、撮影、記録処理を実行する。
【００８６】
まず、上記のＡＥ処理で求めた絞り値、シャッタースピードで撮像素子１２８を露光し、記録用の画像を撮像する。この際、フラッシュを発光させる場合は、フラッシュ発光制御部１５６を介して、プリ発光の結果から求めたフラッシュの発光量に基づいてフラッシュを発光させる。
【００８７】
撮像素子１２８から出力された記録用の画像信号は、アナログ信号処理部１３２、Ａ／Ｄコンバータ１３４を介して画像入力コントローラ１３６に取り込まれ、ＲＡＭ１１８に格納される。ＲＡＭ１１８に格納された画像信号は、ＣＰＵ１１０の制御の下、画像信号処理部１３８に加えられる。画像信号処理部１３８は、入力された画像信号に所定の信号処理を施して、輝度データと色差データとからなる画像データ（ＹＵＶデータ）を生成する。
【００８８】
画像信号処理部１３８で生成された画像データは、一旦ＲＡＭ１１８に格納されたのち、圧縮伸張処理部１４０に加えられる。圧縮伸張処理部１４０は、入力された画像データに対して所定の圧縮処理を施し、圧縮画像データを生成する。
【００８９】
圧縮された画像データは、ＲＡＭ１１８に格納され、所定フォーマットの静止画像ファイル（たとえば、Ｅｘｉｆ）として、メディアコントローラ１４６を介してメモリカード１４４に記録される。なお、メモリカード１４４に画像ファイルが保存可能な空き領域が無い場合や、操作者が選択した場合等には、ＲＡＭ１１８に格納された画像データは、所定フォーマットの静止画像ファイル（たとえば、Ｅｘｉｆ）としてフラッシュＲＯＭ１１６に保存される。なお、フラッシュＲＯＭ１１６に画像データを保存する場合には、画像データは複数のクラスタ、通常は連続した複数のクラスタに保存される。
【００９０】
このようにしてメモリカード１４４に記録された画像データは、デジタルカメラ１のモードを再生モードに設定することにより、モニタ１４に再生表示される。再生モードへの移行はモード切り替えボタン２６により行われる。
【００９１】
再生モードに設定されると、ＣＰＵ１１０はメモリカード１４４の最後に記録された画像ファイルの圧縮画像データを読み出す。メモリカード１４４から読み出された圧縮画像データは、圧縮伸張処理部１４０に加えられ、非圧縮の画像データとされたのちＶＲＡＭ１２０に加えられる。そして、ＶＲＡＭ１２０から表示制御部１４８を介してモニタ１４に出力される。これにより、メモリカード１４４に記録されている画像が、モニタ１４に再生表示される。
【００９２】
画像のコマ送りは、十字ボタン２４の左右のキー操作で行なわれ、右キーが操作されると、次の画像ファイルがメモリカード１６０から読み出され、モニタ１４に再生表示される。また、十字ボタン２４の左キーが操作されると、一つ前の画像ファイルがメモリカード１４４から読み出され、モニタ１４に再生表示される。
【００９３】
モニタ１４に再生表示された画像を確認しながら、必要に応じて、メモリカード１４４に記録された画像を消去することができる。画像の消去は、画像がモニタ１４に再生表示された状態でＭＥＮＵ／ＯＫボタン２５が押下されることによって行われる。
【００９４】
ＭＥＮＵ／ＯＫボタン２５が押下されると、ＣＰＵ１１０は表示制御部１４８を介して、モニタ１４に「この写真を消去してよろしいですか」等の画像消去を伝えるメッセージを画像に重ねて表示する。ＭＥＮＵ／ＯＫボタン２５が押下されると、その画像の消去が行われる。画像データがメモリカード１４４に記録されている場合には、ＣＰＵ１１０はメディアコントローラ１４６を介してメモリカード１４４に記録された画像ファイルを消去する。画像データがフラッシュＲＯＭ１１６に記録されている場合には、ＣＰＵ１１０は直接フラッシュＲＯＭ１１６から画像ファイルが消去可能である。
【００９５】
本実施の形態によれば、衝撃対策としてピン及びカム溝に平面部を形成することにより、ピン及びカム溝が線で接触している場合に比べて衝撃に強くすることができる。これにより、ピンがカム溝に食いつく等によりズーム動作が不可能となることを防止することができる。
【００９６】
また、本実施の形態では、衝撃対策としてピン及びカム溝に平面部を形成するだけで済むため、レンズユニットの外形を大きくしなくてもよい。このため、デジタルカメラの小型化に寄与することができる。
【００９７】
なお、本実施の形態では、圧縮バネを用いて一群移動枠を前側に付勢したが、図７（ａ）に示すように、引張バネを用いて一群移動枠を像側に付勢するようにしてもよい。この時には、一群ピン３３ａのテーパ面が一群移動枠用カム溝３２ａの像側のテーパ面に押し付けられた状態で、一群移動枠用カム溝３２ａの内部を摺動する。この場合においても、図５に示す場合と同様に、一群ピン３３ａと一群移動枠用カム溝３２ａとは線で接触している。ワイド位置平行カム部とテレ位置平行カム部において落下による衝撃が加わった場合には、図７（ｂ）に示すように、一群ピン３３ａのＤカット部３３ａ’と、一群移動枠用カム溝３２ａの平面部３２ａ’とが当接する。その結果、互いの面どうしで落下等による衝撃を受けることができる。
【００９８】
また、本実施の形態では、一群移動枠用カム溝３２ａ、一群ピン３３ａ等を光軸の回りの３分割位置に各１個、合計３箇所形成したが、３箇所に限らず、例えば５箇所でもよい。また、平面部３２ａ’は、一群移動枠用カム溝３２ａの全てに形成してもよいし、その中の数箇所を選択して形成するようにしてもよい。例えば、一群移動枠用カム溝３２ａを５個形成した場合には、そのうちの任意の３個の一群移動枠用カム溝３２ａのワイド位置平行カム部とテレ位置平行カム部に平面部３２ａ’を形成すればよい。この場合には、平面部３２ａ’が形成された一群移動枠用カム溝３２ａに対応する一群ピン３３ａにのみＤカット部３３ａ’を形成すればよい。
【００９９】
＜第２の実施の形態＞
第１の実施の形態は、一群移動枠用カム溝３２ａのワイド位置平行カム部とテレ位置平行カム部に平面部３２ａ’を形成し、衝撃が加わった場合には一群ピン３３ａのＤカット部３３ａ’と平面部３２ａ’とが当接するようにすることで、レンズ鏡筒が移動不可能となることを防止するものであるが、衝撃による不具合を防止する方法はこれに限らない。
【０１００】
第２の実施の形態は、衝撃によりカム溝の変形が生じた恐れのある位置で一群ピンを停止させないようにすることにより、衝撃による不具合を防止するものである。第１の実施の形態と同一の部分については、同一の符号を付し、説明を省略する。
【０１０１】
デジタルカメラ２のカメラボディ１２は、略直方体の箱状に形成されており、その正面には、沈動式のレンズ鏡筒１０−１（後に詳述）が設けられる。カメラボディ１２の背面には、主として、モニタ１４、接眼レンズ１６、操作部２０（ズームボタン２３、十字ボタン２４、ＭＥＮＵ／ＯＫボタン２５、モード切り替えボタン２６、ＢＡＣＫボタン２７、ＤＩＳＰボタン２８等）等が設けられる。カメラボディ１２の上面には、主として操作部２０（電源ボタン２１、レリーズスイッチ２２）が設けられる。カメラボディ１２の側面には、図示しないバッテリーカバーが設けられる。カメラボディ１２の底面には、図示しない三脚ネジ穴などが設けられる。
【０１０２】
レンズ鏡筒１０−１は、カメラボディ１２に収納される沈胴位置と、カメラボディ１２から被写体側に突出される繰り出し位置との範囲で移動される沈胴／繰り出し式のズームレンズで構成されており、電源ボタン２１によってデジタルカメラ２の電源をＯＮすることにより、カメラボディ１２から繰り出される。図８は、テレ位置とワイド位置の間に一群ピン３３ａ−１が位置している場合のレンズ鏡筒１０を側面から見た断面図であり（ａ）は通常状態を示し、（ｂ）は衝撃が加わった後の状態を示す。
【０１０３】
レンズ鏡筒１０−１は、主として、固定筒３０と、回転筒３１と、カム筒３２−１と、一群移動枠３３−１と、直進筒３４と、二群移動枠３５と、マウント３７と、撮像素子３８と、引っ張りバネ３９とで構成されている。レンズ鏡筒１０−１は、マウントを介してカメラボディ１２に取り付けられる。
【０１０４】
カム筒３２−１は、円筒状に形成されており、固定筒３０の内側に回動自在に設けられ、その内側には固定筒３０に形成された溝と勘合するキーが突設された直進筒３４が設けられる。カム筒３２−１の外周面には、カムピン３２ｃが光軸の回りの３分割位置に突設される。このカムピン３２ｃは、固定筒３０に形成されたカム孔と、回転筒３１に形成された直進溝とに係合される。このため、回転筒３１が回転するのに伴い、カム筒３２は回転しながら光軸方向に移動する。それと同時に、直進筒３４が光軸方向に移動する。
【０１０５】
また、カム筒３２−１の内周面には、一群移動枠３３−１を光軸に沿って移動させるための一群移動枠用カム溝３２ａ−１と、二群移動枠３５を光軸に沿って移動させるための二群移動枠用カム溝３２ｂと（図９参照）が、光軸の回りの３分割位置に形成される。
【０１０６】
次に、一群移動枠用カム溝３２ａの形状について説明する。図９は、カム筒３２−１に形成された一群移動枠用カム溝３２ａ−１及び二群移動枠用カム溝３２ｂの構成を示す展開図である。
【０１０７】
一群移動枠用カム溝３２ａ−１には、一群移動枠用カム溝３２ａと同様に、沈動位置、ワイド位置及びテレ位置のそれぞれに平行カム部（沈動位置平行カム部、ワイド位置平行カム部及びテレ位置平行カム部）が形成される。沈動位置平行カム部とワイド位置平行カム部とは、直線的なカム溝により連結される。また、ワイド位置平行カム部とテレ位置平行カム部とは、曲線により所定の形状、すなわち焦点距離を変更するために一群移動枠３３を光軸に沿って移動させる形状のカム溝により連結される。
【０１０８】
一群移動枠用カム溝３２ａ−１は、図９Ｃ−Ｃ断面に示すように、両側（像側及び前側）にテーパがついた台形状に形成される。一群移動枠用カム溝３２ａと異なり、一群移動枠用カム溝３２ａ−１に平面部は形成されない。
【０１０９】
一群移動枠３３−１は、円筒状に形成され、カム筒３２−１の内側に回動自在に設けられる。一群移動枠３３−１の内部には、先端のレンズ群が保持される。一群移動枠３３−１の外周面には、一群ピン３３ａ−１が光軸の回りの３分割位置に突設される。この一群ピン３３ａ−１は、先端にテーパ面が形成され、そのテーパ面がカム筒３２−１の内周面に形成された一群移動枠用カム溝３２ａ−１のテーパ面と係合する。このため、カム筒３２−１が回転するのに伴い、一群移動枠３３−１が光軸方向に移動する。一群ピン３３ａと異なり、一群ピン３３ａ−１にＤカット部は形成されない。
【０１１０】
引っ張りバネ３９は、一群移動枠３３−１と二群移動枠３５との間に設けられる。引っ張りバネ３９は、一群移動枠３３−１を像側に向けて付勢し、二群移動枠３５を前側に向けて付勢する。
【０１１１】
図１０は、本実施の形態のデジタルカメラ２の電気的構成を示すブロック図である。同図に示すように、デジタルカメラ２は、ＣＰＵ１１０、ＡＥ／ＡＷＢ検出部１１２、ＡＦ検出部１１４、フラッシュＲＯＭ１１６、ＲＡＭ１１８、ＶＲＡＭ１２０、駆動部１２２、撮影光学系１２４、撮像素子１２８、タイミングジェネレータ１３０、アナログ信号処理部１３２、Ａ／Ｄコンバータ１３４、画像入力コントローラ１３６、画像信号処理部１３８、圧縮伸張処理部１４０、表示制御部１４２、メディアコントローラ１４６、ジャイロセンサ１５０、ズーム位置記録部１５２等で構成されている。
【０１１２】
ＣＰＵ１１０は、操作部２０からズーム操作の入力が行われた場合には、図１１（ａ）に示すように、ズーム位置をわかり易くするための表示であるズーム情報バー及びズーム位置表示バーをモニタ１４に表示させる。ズーム情報バーとは、デジタルカメラ２のズーム操作が可能な領域を示す表示である。ズーム位置表示バーとは、現在のズーム位置を示す表示であり、ユーザがズームボタン２３を操作するのに伴ってズーム表示バーの内部を移動する。
【０１１３】
本実施の形態では、５箇所のズーム位置が予め設定されているため、ズーム位置記録部１５２に停止禁止位置が記録されていない正常状態では、図１１（ｂ）に示すように、ズーム位置表示バーは、ズーム表示バーを５つに均等分割した停止位置のうちのいずれかの位置に停止する。
【０１１４】
また、ズーム位置記録部１５２に停止禁止位置が記録された場合には、ズーム位置表示バーは、ズーム位置記録部１５２に記録された停止禁止位置の数を正常状態における停止可能位置の数（本実施の形態では５箇所）から引いた数、すなわち現状使用可能なズーム位置の数でズーム表示バーを均等分割した停止位置のうちのいずれかの停止位置に停止する。例えば、ズーム位置記録部１５２に停止禁止位置が１箇所記録された場合には、図１１（ｃ）に示すように、ズーム位置表示バーは、ズーム表示バーを４つに均等分割した位置のうちのいずれかの停止位置に停止する。これにより、停止禁止位置がある場合においても、ズーム情報バーの見栄えを良くすることができる。
【０１１５】
ジャイロセンサ１５０は、デジタルカメラ２の角速度を検出するセンサであり、落下などの衝撃によるデジタルカメラ２の振動を検出する。ジャイロセンサ１５０で検出された情報は、ズーム位置記録部１５２に入力される。
【０１１６】
ズーム位置記録部１５２は、ジャイロセンサ１５０により所定の閾値以上の衝撃がデジタルカメラ２に加えられたことが検出された場合には、衝撃が加えられた場合のズーム位置（カム筒３２−１と一群移動枠３３−１との位置関係）を使用しないように、当該ズーム位置を記録するものである。
【０１１７】
テレ位置とワイド位置の間に一群ピン３３ａ−１が位置している場合に一群移動枠３３−１に衝撃が加わると、衝撃の強さによっては、図９に示すように、一群ピン３３ａ−１が一群移動枠用カム溝３２ａ−１の像側の面をえぐり、一群ピン３３ａ−１が一群移動枠用カム溝３２ａ−１に食いついてしまう。仮に、一群ピン３３ａ−１が一群移動枠用カム溝３２ａ−１に食いついてしまったとしても、ユーザが一群移動枠３３−１を引っ張れば、一群ピン３３ａ−１の食いつきがはずれて、一群移動枠３３−１の動作が可能となり、カメラとして撮影も可能になるケースが多々ある。
【０１１８】
しかしながら、一群移動枠用カム溝３２ａ−１内の壁がえぐられた恐れのある位置に一群ピン３３ａ−１が停止すると、引っ張りバネ３９により一群移動枠３３−１が像側に付勢されているため、図８（ｂ）に示すように一群移動枠３３−１が傾いてしまい、各レンズ間隔や、傾き、中心軸ずれなどが原因で、そのズーム位置で撮影しても、ピントが甘くなったリ、ピントがあわないなどの不具合が発生することがある。
【０１１９】
そのため、ズーム位置記録部１５２は、一群移動枠用カム溝３２ａ−１内の壁がえぐられた恐れのある位置に一群ピン３３ａ−１が停止しないように、ズーム位置の情報を取得して、ズーム禁止位置として記録するものである。ズーム位置記録部１５２に記録されたズーム位置の情報は、バスを介してＣＰＵ１１０に出力される。
【０１２０】
図１２は、ジャイロセンサ１５０により所定の閾値以上の衝撃がデジタルカメラ２に加えられたことが検出された場合には、当該ズーム位置での撮影を禁止する一連の処理の流れを示すフローチャートである。以下の処理はＣＰＵ１１０によって行われる。
【０１２１】
デジタルカメラ２の電源が投入され、モニタ１４にズーム表示バー及びズーム位置表示バーを表示する（ステップＳ１）。ズーム位置記録部１５２にズーム位置が記録されているかどうかを判断する（ステップＳ２）。ズーム位置記録部１５２にズーム位置が記録されていない場合（ステップＳ２でＮＯ）には、ズーム位置が初期位置（例えば、ワイド位置）になるように、駆動部１２２を介してレンズ鏡筒１０−１を駆動する（ステップＳ３）。それと共に、図１１（ａ）に示すように、ズーム位置表示バーをズーム表示バーの左端に表示する。
【０１２２】
ズーム位置記録部１５２にズーム位置が記録されている場合（ステップＳ２でＹＥＳ）には、ズーム位置記録部１５２に記録されたズーム位置でのレンズ鏡筒１０−１の停止を禁止する（ステップＳ４）。ステップＳ４で停止が禁止されたズーム位置が最終位置（例えばテレ位置）である場合には、予め設定された複数（本実施の形態では５箇所とする）のズーム位置のうちの最終位置の１つ前のズーム位置（−１ポジション）を今後の最終位置と設定する（ステップＳ５）。そして、ステップＳ４で停止が禁止されたズーム位置が初期位置でない場合には初期位置、ステップＳ４で停止が禁止されたズーム位置が初期位置である場合には初期位置の次のズーム位置（＋１ポジション）になるように、駆動部１２２を介してレンズ鏡筒１０−１を駆動する（ステップＳ６）。それと共に、図１１（ａ）に示すように、ズーム位置表示バーをズーム表示バーの左端に表示する。
【０１２３】
ユーザがズームボタン２３を操作したことがＣＰＵ１１０に入力される（ステップＳ７）と、当該操作に応じた駆動を行うように駆動部１２２を制御して、レンズ鏡筒１０−１を駆動させる（ステップＳ８）。この時、ズーム位置表示バーをズーム位置に応じた停止位置に移動する。
【０１２４】
ズーム位置が最終位置−１ポジションを越えたかどうかを判断する（ステップＳ９）。ズーム位置が最終位置−１ポジションを越えた場合（ステップＳ９でＹＥＳ）には、駆動部１２２を制御して、レンズ鏡筒１０−１を最終位置で停止させる（ステップＳ１１）。それと共に、ズーム位置表示バーをズーム表示バーの右端に表示する。
【０１２５】
ズーム位置が最終位置−１ポジションを越えていない場合（ステップＳ９でＮＯ）には、ユーザによるズーム操作が終了したか、すなわち操作部２０からＣＰＵ１１０にズーム停止命令が入力されたかどうかを判断する（ステップＳ１０）。ＣＰＵ１１０にズーム停止命令が入力されていない場合（ステップＳ１０でＮＯ）には、再度ズーム位置が最終位置−１ポジションを越えたかどうかを判断する（ステップＳ９）。
【０１２６】
ＣＰＵ１１０にズーム停止命令が入力された場合（ステップＳ１０でＹＥＳ）には、レンズ鏡筒１０−１を停止させようとしている位置がズーム位置記録部１５２に記録されている停止禁止位置であるかどうかを判断する（ステップＳ１２）。
【０１２７】
レンズ鏡筒１０−１を停止させようとしている位置がズーム位置記録部１５２に記録されている停止禁止位置である場合（ステップＳ１２でＹＥＳ）には、ズーム位置がズーム位置記録部１５２に記録されている停止禁止位置＋１ポジション（又は−１ポジション）でレンズ鏡筒１０−１を停止させる（ステップＳ１３）。それと共に、ズーム位置表示バーを、停止したズーム位置に応じた停止位置に停止させる。そして、停止したズーム位置をＲＡＭ１１８に記憶する（ステップＳ１５）。
【０１２８】
レンズ鏡筒１０−１を停止させようとしている位置がズーム位置記録部１５２に記録されている停止禁止位置でない場合（ステップＳ１２でＮＯ）には、ステップＳ１０においてズーム停止命令が入力されたズーム位置でレンズ鏡筒１０−１を停止させる（ステップＳ１４）。それと共に、ズーム位置表示バーを、停止したズーム位置に応じた停止位置に停止させる。そして、停止したズーム位置をＲＡＭ１１８に記憶する（ステップＳ１５）。
【０１２９】
レンズ鏡筒１０−１が停止した状態で、デジタルカメラ２に所定の閾値以上の衝撃が加えられたことがジャイロセンサ１５０からズーム位置記録部１５２に入力されたかどうかを判断する（ステップＳ１６）。デジタルカメラ２に所定の閾値以上の衝撃が加えられたことがジャイロセンサ１５０からズーム位置記録部１５２に入力された場合（ステップＳ１６でＹＥＳ）には、ズーム位置記録部１５２は、ＲＡＭ１１８に記録されたズーム位置を停止禁止位置として記録し（ステップＳ１７）、ユーザの操作に従って撮影、記録動作を行う（ステップＳ１８）。デジタルカメラ２に所定の閾値以上の衝撃が加えられたことがジャイロセンサ１５０からズーム位置記録部１５２に入力されなかった場合（ステップＳ１６でＮＯ）には、ユーザの操作に従って撮影、記録動作を行う（ステップＳ１８）。撮影、記録動作については、第１の実施の形態と同様であるため、説明を省略する。
【０１３０】
電源がＯＦＦされると、当該処理を終了する。ステップＳ１７においてズーム位置の記録が行われた場合には、ズーム位置記録部１５２に記録された停止禁止位置の情報が次回の電源投入時から反映される。これにより、光学性能に影響がある恐れのあるズーム位置で撮影を行わないように、デジタルカメラ１を自動的に制御することができる。
【０１３１】
本実施の形態によれば、衝撃によりダメージを受けていない平行カム溝部を用いて撮影を行うため、常に良好な光学性能を保つことができる。また、一群移動枠用カム溝３２ａ−１の壁がえぐられる等により光学性能が出ない恐れのあるズーム位置を使用しないようにするため、光学性能がでない恐れのあるズーム位置での失敗撮影などの撮影の無駄を排除した、使い勝手のよいカメラを提供することができる。
【０１３２】
また、本実施の形態によれば、ズーム位置表示バーの停止位置が歯抜けにならないため、ズーム位置の表示の見栄えを良くすることができる。すなわち、正常状態では均等分割された停止位置にズーム位置表示バーが止まっていたのに対し、停止禁止位置がある場合には、図１３に示すように、停止禁止位置に対応する停止位置を飛ばしてズーム位置表示バーが停止する為、歯抜けの表示（その位置は残すが、ズーム情報バーは止まらない）となり、モニタに表示されたズーム情報バーの見栄えが悪いという問題がある。しかしながら、停止禁止位置がある場合に、現状使用可能なズーム位置の数でズーム表示バーを均等分割するため、歯抜けの表示となることを防止することができる。
【０１３３】
なお、本実施の形態では、ジャイロセンサ１５０をズーム位置記録部１５２で用いているが、手振れ補正機能を追加して、ジャイロセンサ１５０を手振れ補正用とズーム制御用とで
併用するようにしてもよい。
【０１３４】
また、本実施の形態では、衝撃が検出された場合には、そのときのズーム位置が自動的に記録されたが、ユーザがその都度ズーム位置を入力、記録させることによっても同様の効果を植えることができる。
【０１３５】
＜第３の実施の形態＞
第２の実施の形態は、衝撃によりカム溝の変形が生じた恐れのある位置で一群ピンを停止させないようにすることにより、衝撃による不具合を防止するものであるが、このような不具合は、電源が投入された時にレンズ鏡筒が繰り出される位置であるワイド位置やテレ位置に設けられた平行カム部で発生しやすい。
【０１３６】
第３の実施の形態は、一群ピンが平行カム部の範囲内に位置する状態において所定の閾値以上の衝撃が加えられた場合には、平行カム部の範囲内で、衝撃が加えられた位置からずらした位置に一群ピンを止めることにより、光学性能がでない恐れのあるズーム位置での失敗撮影を防止するものである。なお、第３の実施の形態に係るデジタルカメラ３の構造、電気的構成については、第２の実施の形態と同一であるため、説明を省略する。
【０１３７】
図１４は、ワイド位置及びテレ位置においてジャイロセンサ１５０により所定の閾値以上の衝撃がデジタルカメラ３に加えられたことが検出された場合には、当該位置からずらした位置でレンズ鏡筒を停止させる一連の処理の流れを示すフローチャートである。以下の処理はＣＰＵ１１０によって行われる。なお、第２の実施の形態と同一の部分については、同一の符号を付し、詳細な説明を省略する。
【０１３８】
デジタルカメラ２の電源が投入され、モニタ１４にズーム表示バー及びズーム位置表示バーを表示する（ステップＳ１）。ワイド位置又はテレ位置において衝撃を受けたかどうか、すなわちワイド位置又はテレ位置がズーム位置記録部１５２に記録されているかどうかを判断する（ステップＳ２１）。
【０１３９】
ズーム位置記録部１５２にワイド位置又はテレ位置が記録されていない場合（ステップＳ２１でＮＯ）には、ズーム位置が初期位置（ワイド位置）になるように、駆動部１２２を介してレンズ鏡筒１０−１を駆動する（ステップＳ３）。それと共に、図１１（ａ）に示すように、ズーム位置表示バーをズーム表示バーの左端に表示する。
【０１４０】
ズーム位置記録部１５２にワイド位置又はテレ位置が記録されている場合（ステップＳ２１でＹＥＳ）には、ズーム位置記録部１５２に記録されたズーム位置でのレンズ鏡筒１０−１の停止を禁止する（ステップＳ４）。図１５に示すように、ステップＳ４で停止が禁止されたズーム位置がワイド位置平行カム部に含まれる場合には、ワイド位置平行カム部の範囲内の位置であって、ステップＳ４において禁止された位置（図１５Ｄ）からずらした位置（図１５Ｅ）を、新たなワイド位置とする。それと共に、ステップＳ４で停止が禁止されたズーム位置がテレ位置平行カム部に含まれる場合には、テレ位置平行カム部の範囲内の位置であって、ステップＳ４において禁止された位置からずらした位置を、新たなテレ位置とする。（ステップＳ２２）。
【０１４１】
ステップＳ４において停止が禁止されたズーム位置がテレ位置かどうかを判断する（ステップＳ２３）。ステップＳ４において停止が禁止されたズーム位置がテレ位置である場合（ステップＳ２３でＹＥＳ）には、ズーム位置が初期位置（ワイド位置）になるように、駆動部１２２を介してレンズ鏡筒１０−１を駆動する（ステップＳ３）。それと共に、図１１（ａ）に示すように、ズーム位置表示バーをズーム表示バーの左端に表示する。
【０１４２】
ステップＳ４において停止が禁止されたズーム位置がテレ位置でない場合（ステップＳ２３でＮＯ）には、ズーム位置がステップＳ２２で設定された新たなワイド位置になるように、駆動部１２２を介してレンズ鏡筒１０−１を駆動する（ステップ２４）。それと共に、図１１（ａ）に示すように、ズーム位置表示バーをズーム表示バーの左端に表示する。
【０１４３】
ユーザがズームボタン２３を操作したことがＣＰＵ１１０に入力される（ステップＳ７）と、当該操作に応じた駆動を行うように駆動部１２２を制御して、レンズ鏡筒１０−１を駆動させる（ステップＳ８）。この時、ズーム位置表示バーをズーム位置に応じた停止位置に移動する。
【０１４４】
ズーム位置が最終位置−１ポジションを越えたかどうかを判断する（ステップＳ９）。ズーム位置が最終位置−１ポジションを越えた場合（ステップＳ９でＹＥＳ）には、駆動部１２２を制御して、レンズ鏡筒１０−１をテレ位置又はステップＳ２２で設定された新たなテレ位置で停止させる（ステップＳ２５）。それと共に、ズーム位置表示バーをズーム表示バーの右端に表示する。
【０１４５】
ズーム位置が最終位置−１ポジションを越えていない場合（ステップＳ９でＮＯ）には、ユーザによるズーム操作が終了したかどうかを判断する（ステップＳ１０）。ズーム操作が終了していない場合（ステップＳ１０でＮＯ）には、再度ズーム位置が最終位置−１ポジションを越えたかどうかを判断する（ステップＳ９）。
【０１４６】
ズーム操作が終了した場合（ステップＳ１０でＹＥＳ）には、ステップＳ１０においてズーム停止命令が入力されたズーム位置でレンズ鏡筒１０−１を停止させる（ステップＳ１４）。それと共に、ズーム位置表示バーを、停止したズーム位置に応じた停止位置に停止させる。そして、停止したズーム位置をＲＡＭ１１８に記憶する（ステップＳ１５）。
【０１４７】
レンズ鏡筒１０−１が停止した状態で、デジタルカメラ３に所定の閾値以上の衝撃が加えられたことがジャイロセンサ１５０からズーム位置記録部１５２に入力されたかどうかを判断する（ステップＳ１６）。デジタルカメラ３に所定の閾値以上の衝撃が加えられたことがジャイロセンサ１５０からズーム位置記録部１５２に入力された場合（ステップＳ１６でＹＥＳ）には、ズーム位置記録部１５２は、ＲＡＭ１１８に記録されたズーム位置を停止禁止位置として記録し（ステップＳ１７）、ユーザの操作に従って撮影、記録動作を行う（ステップＳ１８）。デジタルカメラ３に所定の閾値以上の衝撃が加えられたことがジャイロセンサ１５０からズーム位置記録部１５２に入力されなかった場合（ステップＳ１６でＮＯ）には、ユーザの操作に従って撮影、記録動作を行う（ステップＳ１８）。電源がＯＦＦされると、当該処理を終了する。
【０１４８】
本実施の形態では、レンズ鏡筒がワイド位置又はテレ位置にある場合、すなわち一群ピンがワイド位置平行カム部又はテレ位置平行カム部に位置する場合に、一定以上の衝撃が加えられた場合には、平行カム部の範囲内で当該衝撃を感知した位置からずらした位置で一群ピンを停止させることで、ワイド位置又はテレ位置での光学性能に影響が出ないようにすることができる。また、光学性能に不具合が出る可能性のある位置を使用しないようにすることで、ワイド端やテレ端での失敗撮影を防止することができる。
【０１４９】
なお、本実施の形態では、所定の閾値以上の衝撃が加えられた場合には、衝撃が加えられたときのズーム位置が自動的に使用禁止となったが、ユーザが光学性能を確認した上で、光学性能が劣化して撮影に耐えないと判断した場合にのみ、当該ズーム位置を使用しないように設定するようにしてもよい。例えば、図１４のステップＳ１６において、所定の閾値以上の衝撃が加えられたことが検出された場合には、ズーム位置記録部１５２’は、表示制御部１４２を介してモニタ１４に設定画面を表示させ、ユーザにより使用禁止の設定が行われた場合のみそのズーム位置を記録するようにすればよい。
【０１５０】
これにより、ユーザが特定のズーム位置へレンズ鏡筒を動作させるか否かの設定をすることが可能であるため、設定後は、特に意識しなくても、光学性能が劣化した位置での撮影を防ぐことができる。また、衝撃が加えられたことにより光学性能が劣化しなかった位置では撮影を行うことが可能であるため、ズーム位置を無駄に使用禁止にすることを防ぐことができる。また、光学性能に影響を及ぼしたであろう所定の閾値以上の衝撃が検知された場合のみ設定画面が自動的に立ち上がる為、ユーザに注意喚起を促すことができ、かつユーザに設定画面の立ち上げの手間をとらせないため、便利である。
【０１５１】
なお、本実施の形態は、第２の実施の形態と組み合わせることにより、更なる効果が期待できる。
【０１５２】
＜第４の実施の形態＞
第２の実施の形態は、衝撃によりカム溝の変形が生じた恐れのある位置で一群ピンを停止させないようにすることにより、衝撃による不具合を防止するものである。この場合には、不具合は発生しないが、衝撃が検知された時のズーム位置における被写体像は取得できない。
【０１５３】
第４の実施の形態は、第２の実施の形態において停止禁止位置が記録された場合において、停止禁止にされたズーム位置における被写体像をデジタルズームにより取得することで、この問題を解決するものである。なお、第２の実施の形態と同一の部分については、同一符号を付し、説明を省略する。
【０１５４】
図１６は、本実施の形態のデジタルカメラ４の電気的構成を示すブロック図である。同図に示すように、デジタルカメラ２は、ＣＰＵ１１０、ＡＥ／ＡＷＢ検出部１１２、ＡＦ検出部１１４、フラッシュＲＯＭ１１６、ＲＡＭ１１８、ＶＲＡＭ１２０、駆動部１２２、撮影光学系１２４、撮像素子１２８、タイミングジェネレータ１３０、アナログ信号処理部１３２、Ａ／Ｄコンバータ１３４、画像入力コントローラ１３６、画像信号処理部１３８、圧縮伸張処理部１４０、表示制御部１４２、メディアコントローラ１４６、ジャイロセンサ１５０、ズーム位置記録部１５２、画像拡縮部（デジタルズーム部）１５４等で構成されている。
【０１５５】
画像拡縮部１５４は、撮像素子１２８の受光面に結像された被写体像（スルー画、静止画共に）の一部を取り出し、拡大して表示することにより、擬似的に焦点距離を変化させるものである。
【０１５６】
図１７は、ジャイロセンサ１５０により所定の閾値以上の衝撃がデジタルカメラ４に加えられたことが検出された場合に、擬似的に当該ズーム位置での撮影を禁止する一連の処理の流れを示すフローチャートである。以下の処理はＣＰＵ１１０によって行われる。
【０１５７】
ユーザによりズーム操作が行われたことが操作部２０からＣＰＵ１１０に入力され（ステップＳ３１）、当該ズーム操作が停止されたかどうかを判断する（ステップＳ３２）。ズーム操作が停止されていない場合（ステップＳ３２でＮＯ）には、ステップＳ３１に戻り、ステップＳ３１、Ｓ３２を再度行う。
【０１５８】
ズーム操作が停止された場合（ステップＳ３２でＹＥＳ）には、操作が停止されたときのズーム位置がズーム位置記録部１５２に停止禁止位置として記録されたズーム位置がどうかを判断する（ステップＳ３３）。操作が停止されたときのズーム位置が停止禁止位置でない場合（ステップＳ３３でＮＯ）には、通常のスルー画像撮影及び表示を行う（ステップＳ３４）。ステップＳ３４の処理については、第１の実施の形態と同様であるため、説明を省略する。
【０１５９】
操作が停止されたときのズーム位置が停止禁止位置である場合（ステップＳ３３でＹＥＳ）には、現在のズーム位置でのスルー画像の撮影、表示を行い、当該スルー画像が表示された状態でモニタ１４の表示を停止する（ステップＳ３５）。停止禁止位置よりも一段ズーム側のズーム位置になるように、駆動部１２２を介してレンズ鏡筒１０−１を駆動し、停止禁止位置よりも一段ズーム側のズーム位置でのスルー画像を取得する（ステップＳ３６）。画像拡縮部１５４は、ステップＳ３６で取得したスルー画像から停止禁止位置で取得した場合の画角を切り出す。そして、ＣＰＵ１１０は、ステップＳ３５で停止させた画像に変えて、当該切り出した画像をモニタ１４の全面に表示させる（ステップＳ３７）。これにより、あたかも光学性能に影響が出た恐れがあるズーム位置で撮影を行っているかのような感覚をユーザに与えることができる。
【０１６０】
レリーズスイッチ２２が全押しされたかどうかを判断する（ステップＳ３８）。レリーズスイッチ２２が全押しされていない場合（ステップＳ３８でＮＯ）には、ステップＳ３１に戻り、再度ステップＳ３１〜Ｓ３７を行う。レリーズスイッチ２２が全押しされた場合（ステップＳ３８でＹＥＳ）には、レリーズスイッチ２２が押されたときのズーム位置が停止禁止位置であるかどうか、すなわちユーザの指示が撮影禁止位置での撮影であるかどうかを判断する（ステップＳ３９）。
【０１６１】
停止禁止位置での撮影でない場合（ステップＳ３９でＮＯ）には、通常の撮影、記録処理を行なう（ステップＳ４０）。ステップＳ４０の処理については、第１の実施の形態と同様であるため、説明を省略する。
【０１６２】
停止禁止位置での撮影である場合（ステップＳ３９でＹＥＳ）には、レンズ鏡筒１０−１を停止禁止位置よりも一段ズーム側のズーム位置にし、停止禁止位置よりも一段ズーム側のズーム位置で被写体像を撮影する（ステップＳ４１）。次に、画像拡縮部１５４は、ステップＳ３６で取得したスルー画像から停止禁止位置で取得した場合の画角を切り出す（ステップＳ４２）。
【０１６３】
最後に、画像拡縮部１５４は、ステップＳ４２で切り出された画像を、ステップＳ４１で撮影された被写体像と同じ画素数まで拡大し、ＣＰＵ１１０は、当該拡大された画像をメモリカード１４４に記録する（ステップＳ４３）。これにより、光学性能に影響が出た恐れがあるズーム位置で撮影した画像と、あたかも同じ位置で撮影したかのような画像を撮影、記録することができる。そして、処理を終了する。
【０１６４】
本実施の形態によれば、光学性能に影響が出た恐れがあるズーム位置での撮影を禁止した場合においても、擬似的に光学性能が変化していないような使い勝手を提供することができる。
【０１６５】
なお、第２の実施の形態〜第４の実施の形態は、第１の実施の形態と組み合わせて実施することも可能である。
【０１６６】
本発明の適用は、デジタルカメラに限定されるものではなく、カメラつき携帯電話機やビデオカメラ等の撮像装置、携帯音楽プレーヤー、ＰＤＡ等の電子機器にも同様に適用することができる。
【図面の簡単な説明】
【０１６７】
【図１】本発明に係る第１の実施の形態のデジタルカメラ１の背面斜視図である。
【図２】上記デジタルカメラ１のレンズ鏡筒１０の断面図である。
【図３】上記デジタルカメラ１のカム筒３２の展開図である。
【図４】（ａ）は上記デジタルカメラ１のカム筒３２の一群移動枠用カム溝３２ａの斜視図であり、（ｂ）は一群移動枠用カム溝３２ａに係合する一群ピン３３ａの斜視図である。
【図５】上記デジタルカメラ１のレンズ鏡筒１０の一群移動枠用カム溝３２ａと一群ピン３３ａとの係合を示す図であり、（ａ）は通常状態を示し、（ｂ）は一群移動枠３３に衝撃が加わった状態を示す。
【図６】上記デジタルカメラ１の電気的構成を示すブロック図である。
【図７】上記デジタルカメラ１のレンズ鏡筒１０の一群移動枠用カム溝３２ａと一群ピン３３ａとの係合の別の形態を示す図であり、（ａ）は通常状態を示し、（ｂ）は一群移動枠３３に衝撃が加わった状態を示す。
【図８】本発明に係る第２の実施の形態のデジタルカメラ２のレンズ鏡筒１０−１の断面図であり、（ａ）は通常状態を示し、（ｂ）は衝撃が加わったズーム位置に停止した状態を示す。
【図９】上記デジタルカメラ２のカム筒３２−１の展開図である。
【図１０】上記デジタルカメラ２の電気的構成を示すブロック図である。
【図１１】上記デジタルカメラ２のズーム位置の表示例である。
【図１２】上記デジタルカメラ２の撮影時の処理の流れを示すフローチャートである。
【図１３】本発明が適用されない場合のズーム位置の表示例である。
【図１４】本発明に係る第３の実施の形態のデジタルカメラ３の撮影時の処理の流れを示すフローチャートである。
【図１５】上記デジタルカメラ３のカム筒３２−１の展開図である。
【図１６】本発明に係る第４の実施の形態のデジタルカメラ４の電気的構成を示すブロック図である。
【図１７】上記デジタルカメラ４の撮影時の処理の流れを示すフローチャートである。
【図１８】従来のレンズ鏡筒のカム筒１０１の展開図である。
【図１９】従来のレンズ鏡筒の一群移動枠用カム溝１０１ａと一群ピン１０２ａとの係合を示す図である。
【図２０】従来のレンズ鏡筒の一群移動枠用カム溝１０１ａと一群ピン１０２ａとの係合を示す図であり、（ａ）は一群移動枠１０２に衝撃が加わった状態を示し、（ｂ）〜（ｄ）は一群ピン３３ａが一群移動枠用カム溝１０１ａから脱落する様子を経時的に示す。
【符号の説明】
【０１６８】
１、２、３、４：デジタルカメラ、１０、１０−１：レンズ鏡筒、１４：モニタ、
３０：固定筒、３１：回転筒、３２、３２−１：カム筒、３３、３３−１：一群移動枠、３４：直進筒、３５：二群移動枠、３６：圧縮バネ、３７：マウント、３８：撮像素子、３９：引っ張りバネ、１１０：ＣＣＤ、１１２：ＡＥ／ＡＷＢ検出部、１１４：ＡＦ検出部、１１６：フラッシュＲＯＭ、１１８：ＲＡＭ、１２０：ＶＲＡＭ、１２２：駆動部、１２４：撮影光学系、１２８：撮像素子、１３０：タイミングジェネレータ、１３２：アナログ信号処理部、１３４：Ａ／Ｄコンバータ、１３６：画像入力コントローラ、１３８：画像信号処理部、１４０：圧縮伸張処理部、１４２：表示制御部、１４６：メディアコントローラ、１５０：ジャイロセンサ、１５２：ズーム位置記録部、１５４：画像拡縮部（デジタルズーム部）１５４
【図１】
2010032970.tif 000003
【図２】
2010032970.tif 000004
【図３】
2010032970.tif 000005
【図４】
2010032970.tif 000006
【図５】
2010032970.tif 000007
【図６】
2010032970.tif 000008
【図７】
2010032970.tif 000009
【図８】
2010032970.tif 000010
【図９】
2010032970.tif 000011
【図１０】
2010032970.tif 000012
【図１１】
2010032970.tif 000013
【図１２】
2010032970.tif 000014
【図１３】
2010032970.tif 000015
【図１４】
2010032970.tif 000016
【図１５】
2010032970.tif 000017
【図１６】
2010032970.tif 000018
【図１７】
2010032970.tif 000019
【図１８】
2010032970.tif 000020
【図１９】
2010032970.tif 000021
【図２０】
2010032970.tif 000022